(57)【特許請求の範囲】
【請求項１】
敷地境界に埋設し、フェンス等の脚部材を挿入して支持する孔が直線状に穿孔された角筒状のコンクリート境界用ブロックであって、コンクリート境界用ブロックが孔の穿孔された立設部と基礎となる水平部からなる側面形状略Ｌ字で立設部の一側面を境界線に沿って位置すべく形成され、且つ孔が角筒状のコンクリート境界用ブロックを上面から見て全体の中心位置より偏芯した位置で、下面側が縮径して穿孔されていることを特徴とするコンクリート境界用ブロック。
【発明の詳細な説明】
【技術分野】
【０００１】本発明は、各種屋外造形物の境界となる支柱、フェンス、杭を立てる沓石を構成するコンクリート境界用ブロックに関する。
【背景技術】
【０００２】従来、フェンス、ブロック塀、囲い塀等の支柱を立てる境界用の沓石は、コンクリートで構成された挿通した孔を有する角筒状のブロックとして形成されている。【０００３】例えば、実用新案の公開公報には、フェンス等の脚部材を挿入孔に挿入固定する一対の沓石が開示（明細書の実施例、及び図５）され、上部の中央側に（上面より下面に沿って直線状）穿孔された挿入した孔が形成された角筒状（立方体）のコンクリート製のブロックであり、脚部材の設置位置に沿って地面に設置し脚部材を孔に挿入して支持した後、該ブロックを埋設して使用する。【０００４】また、穿孔された孔の具体例として、実用新案登録公報に沓石としてのブロックに穿孔した孔で上方側と下方側とで径の相違する孔が開示されている。【０００５】上記各コンクリートブロックで形成された沓石は、境界線に沿って地面に埋設する場合は、沓石の一側面を境界線に接して埋設し脚部材を挿入して支持したフェンス等を境界線に沿って取り付ける。
【先行技術文献】
【特許文献】
【特許文献】実開平４−４３９４９号公報、実用登録第３０１４８７１号
【発明の概要】
【発明が解決しようとする課題】
【０００６】しかしながら、上記沓石はコンクリートで角筒状に形成されたブロックであり、その上面の中心部に孔が穿孔されているために、孔に挿通するフェンスの脚部材は沓石の上面の１／２の位置に立設することとなり、フェンス等の外側の敷地部分（外側１／２部分）が無駄なスペースとなり狭い敷地の場合特に有効に敷地を活用ができない。【０００７】また、沓石がコンクリートで角筒状のブロックに形成されているために、使用するコンクリートの量が多く重量があり、敷地への埋設作業、及び工場よりの搬送が不便である欠点があった。【０００８】そこで、本発明は上記課題を解決すべく敷地に無駄なスペースを設けることがなく、また埋設作業、搬送が容易なコンクリート境界用ブロックを提供することを課題とする。
【課題を解決するための手段】
【０００９】上記課題を解決する手段として、請求項１は、敷地境界に埋設し、フェンス等の脚部材を挿入して支持する孔が直線状に穿孔された角筒状のコンクリート境界用ブロックであって、コンクリート境界用ブロックが孔の穿孔された立設部と基礎となる水平部からなる側面形状略Ｌ字で立設部の一側面を境界線に沿って位置すべく形成され且つ孔が角筒状のコンクリート境界用ブロックを上面から見て全体の中心位置より偏芯した位置で、下面側が縮径して穿孔されていることを特徴とする。
【発明の作用・効果】
【００１１】次に、本発明のコンクリート境界用ブロックの作用・効果を記載する。
【００１２】先ず、本発明の請求項１に記載のコンクリート境界用ブロックは、孔が上面から見て全体の中心位置より偏芯した位置で直線状、下面側が縮径して穿孔されているので、境界線の内側に沿って孔が穿孔された近接側面を境界線側として境界線に沿って、コンクリート境界用ブロックを設置することで従来に比しより境界線側に近接した位置に孔を位置させることができる。
【００１３】次に、前記コンクリート境界用ブロックの孔にフェンス等の脚部材を挿入することでフェンス等を支持し、その後、該コンクリート境界用ブロックを地中に埋設することでフェンス等を境界線に近接して立設することができる。
【００１４】このため、フェンス等の脚部材より外側部分の敷地面積が少なく敷地の有効活用を図ることができる。
【００１５】この際、コンクリート境界用ブロックを孔の穿孔された角筒状の立設部と、立設部の下方側を延出した基礎となる水平部から構成することで該コンクリート境界用ブロックを側面形状略Ｌ字状に形成することで、埋設時に底部分となる水平部で安定した状態で境界線に沿って設置及び埋設することができる。
【００１６】また、立設部の中央部分に孔を穿孔することでコンクリート境界用ブロックの上面方向で中心より偏芯した位置に孔が穿孔されるとともに、境界線側に立設部の側面を位置することで、境界線に近接して孔を位置することができる。
【００１７】従って、フェンス等の脚部材を孔に挿通し支持することで、境界線に近接してフェンス等を立設することができる。
【００１８】このように、本発明のコンクリート境界用ブロックは、孔が偏芯して穿孔しているので、フェンス等を境界線に近接して設けることができ、土地の有効活用をはかることができる。
【００１９】また、コンクリート境界用ブロックを立設部と水平部から構成することで、重量を軽減し埋設作業、及び搬送に適した構成とすることができる。
【発明を実施するための形態】
【００２０】本発明のコンクリート境界用ブロックの一実施例について説明する。
【００２１】図１は、本発明のコンクリート境界用ブロックの一実施例を示す概略説明断面図であり、図２は、図１の孔の偏芯位置を説明する概略説明平面図であり、図３は本発明のコンクリート境界用ブロックの使用例を示す概略説明平面図であり、図４、図５は本発明のコンクリート境界用ブロックの他実施例を示す概略説明平面図である。
【００２２】本発明のコンクリート境界用ブロック１は、孔２の穿孔された角筒状の立設部３と、該立設部３の下端部分を形成し、水平方向に延出した矩形状の水平部４とから構成されている。
【００２３】前記立設部３に形成された孔３は、立設部３の上面５中央部分より下面６に直線状に穿孔され、下面６側が縮径して穿孔している。
【００２４】前記孔３の穿孔した位置は、コンクリート境界用ブロック１を上面から見て全体の１／３の位置で中心位置より偏芯した位置となる。
【００２５】このため、立設部３の一側面７を境界線Ｓに沿って位置することで、該境界線Ｓに近接した位置に孔３を位置することができる。
【００２６】また、前記水平部４は立設部３から一方向のみに延出して形成され、地面との設置面積を拡大することができ、安定した状態でコンクリート境界用ブロック１を地面に設置することができる。
【００２７】上記のように、本発明のコンクリート境界用ブロック１は構成され、次に該コンクリート境界用ブロック１を用いて敷地の境界線に沿ってフェンスを立設する場合について、説明する。
【００２８】先ず、敷地の境界線Ｓに立設部３の一側面７を境界線Ｓと接するようにしてコンクリート境界用ブロック１を配置し、隣合うコンクリート境界用ブロック１の間をフェンスの脚部材間に対応する位置に調整して設置する。
【００２９】次に、前記フェンスの脚部材をそれぞれコンクリート境界用ブロック１の孔２に挿入することでコンクリート境界ブロック１でフェンスを支持する。
【００３０】その後、前記コンクリート境界用ブロック１を地中に埋設することで境界線Ｓに沿ってフェンスを取り付けできる。
【００３１】しかも、従来に比し境界線Ｓに近接してフェンスを立設することができ、敷地の無駄なスペースを省くことができ、従来にない敷地の有効利用を可能とする。
【００３２】また、コンクリート境界用ブロック１は、水平部４で設置面積を広げて設置することができ、安定した状態で孔２に挿入した脚部材を支持することができる。
【００３３】また、コンクリート境界用ブロック１を立設部３と水平部４から構成することで、従来の角筒矩形状のコンクリート境界用ブロックに比し少ないコンクリート量で構成することができ、その運搬及び埋設作業を容易に行うことができる。
【００３４】尚、上記実施例において、コンクリート境界用ブロック１を立設部３と水平部４から構成し、且つ側面形状略Ｌ字状に形成したが、本発明において、立設部３の一側面７側以外の水平部４を幅方向にも延出して形成することも可能であり、水平部４の形状を矩形状でなく半円板状に形成することも可能である。
【００３５】また、上記水平部４の延出する長さにより、立設部３に穿孔した孔２の比率を１／４、又は１／５として上面方向で中心より偏芯することも可能である。
【００３６】また、上記実施例では、立設部３の中心に孔２を穿孔したが、中心に孔２を穿孔することは必須の構成ではなく、立設部３の中心より偏芯して穿孔することも可能である。
【００３７】さらに、上記実施例では孔２の穿孔において、下方側を縮径に穿孔したが全体をテーパー状に形成すべく穿孔することも可能である。
【図面の簡単な説明】
【００３８】
【図１】本発明のコンクリート境界用ブロックの一実施例を示す概略説明断面図
【図２】図１の孔の偏芯位置を示す概略説明平面図
【図３】本発明のコンクリート境界用ブロックの使用例を示す概略説明平面図
【図４】本発明のコンクリート境界用ブロックの他実施例を示す概略説明平面図
【図５】本発明のコンクリート境界用ブロックの他実施例を示す概略説明平面図
【符号の説明】
【００３９】１−コンクリート境界用ブロック、２−孔、３−立設部、４−水平部
【要約】
【課題】本発明は、敷地の境界線に沿って近接した位置にフェンス等を設けることができ敷地の有効利用が可能であり、また、運搬及び埋設作業が容易なコンクリート境界用ブロックを提供することを課題とする。
【解決手段】敷地境界に埋設し、フェンス等の脚部材を支持する孔が直線状に穿孔された角筒状のコンクリート境界用ブロックであって、前記孔が角筒状のコンクリート境界用ブロックの上面方向で中心より偏芯した位置で穿孔されていることである。
【選択図】図１【図１】
0005126758.tif 000002
【図２】
0005126758.tif 000003
【図３】
0005126758.tif 000004
【図４】
0005126758.tif 000005
【図５】
0005126758.tif 000006